(57)【要約】【課題】余分な消臭剤を消費することなく低コストにクラゲの臭気を抑えることができ、クラゲ載置場所及びその周囲の環境を改善することができる消臭剤噴霧システム及び消臭剤噴霧方法を提供する。【解決手段】陸揚げされたクラゲを保管している屋外のクラゲ載置場所１０に消臭剤を噴霧して、クラゲから発生する臭気を抑制する消臭剤噴霧システムである。クラゲ載置場所１０に消臭剤を噴霧する消臭剤噴霧手段１と、クラゲ載置場所１０の臭気物質を検知するためのガス検知手段２と、ガス検知手段２による臭気物質が所定値以上を検知したときに、消臭剤噴霧手段１を作動させてクラゲ載置場所１０に消臭剤を噴霧するように制御する制御手段１３とを備えた。【選択図】図１
2012081413.tif 000002
【特許請求の範囲】
【請求項１】
陸揚げされたクラゲを保管している屋外のクラゲ載置場所に消臭剤を噴霧して、クラゲから発生する臭気を抑制する消臭剤噴霧システムであって、
前記クラゲ載置場所に前記消臭剤を噴霧する消臭剤噴霧手段と、
前記クラゲ載置場所の臭気物質を検知するためのガス検知手段を備え、
前記ガス検知手段による臭気物質が所定値以上を検知したときに、前記消臭剤噴霧手段を作動させてクラゲ載置場所に消臭剤を噴霧するように制御する制御手段とを備えたことを特徴とする消臭剤噴霧システム。
【請求項２】
前記クラゲ載置場所の風速及び風向きを検知するための風検知手段を備え、
前記ガス検知手段による臭気物質が所定値以上を検知し、かつ前記風検知手段による風速が所定範囲内及び風向きが前記クラゲ載置場所から離れた特定位置側を検知したときに、前記制御手段の制御にて前記消臭剤噴霧手段を作動させてクラゲ載置場所に消臭剤を噴霧することを特徴とする請求項１の消臭剤噴霧システム。
【請求項３】
前記消臭剤噴霧手段は、前記クラゲ載置場所に対して上方から消臭剤を噴霧するものであることを特徴とする請求項１又は請求項２の消臭剤噴霧システム。
【請求項４】
前記消臭剤噴霧手段は、消臭剤を貯留するタンクと、このタンクから消臭剤を送出するポンプと、前記タンクからノズルを介して噴霧された消臭剤の濃度を調整する濃度調整手段とを備えたことを特徴とする請求項１〜請求項３のいずれか１項の消臭剤噴霧システム。
【請求項５】
前記クラゲ載置場所の周囲から消臭剤を噴霧することを特徴とする請求項１〜請求項４のいずれか１項の消臭剤噴霧システム。
【請求項６】
消臭剤の噴霧開始から所定時間経過後に、消臭剤の噴霧を停止する停止手段を備えたことを特徴とする請求項１〜請求項５のいずれか１項の消臭剤噴霧システム。
【請求項７】
陸揚げされたクラゲを保管している屋外のクラゲ載置場所に消臭剤を噴霧して、前記クラゲ載置場所から離れた特定位置において、クラゲから発生する臭気を抑制する消臭剤噴霧方法であって、
前記クラゲ載置場所の臭気物質が所定値以上を検知し、かつ風速が所定値以上及び風向きが前記特定位置側を検知したときに、前記クラゲ載置場所に対して周囲から前記消臭剤を噴霧することを特徴とする消臭剤噴霧方法。
【発明の詳細な説明】
【技術分野】
【０００１】
本発明は、クラゲに消臭剤を噴霧して、クラゲから発生する臭気を抑制する消臭剤噴霧システム及び消臭剤噴霧方法に関する。
【背景技術】
【０００２】
火力・原子力発電所等では、使用済みの蒸気を海水等で冷却することにより、タービン後段に真空を作り出すことで圧力差を拡大して発熱効率を向上させている。このため、海水を導いて冷却水を確保する必要がある。この場合、海水中に含まれているクラゲ等の海生生物を引き込むと、揚水能力や熱交換の低下により、冷却効率が悪くなったり、機器が損傷したりして、発電機出力の低下や電力安定供給の阻害という問題が発生する。このため、汲み上げポンプの上流側に、クラゲを処理して汲み上げた海水中にクラゲの混入を規制するための設備があり（特許文献１）、この設備にてクラゲを捕らえることによりクラゲの取水口への侵入を未然に防いでいる。捕らえられた大量のクラゲは発電所構内へ陸揚げされた後、一般廃棄物として廃棄処分される。
【０００３】
クラゲはその９５％以上が水分であり、容積及び重量が嵩む等の理由により、そのまま一般廃棄物として大量に処分するのは難しい。そこで、陸揚げされたクラゲをスカム（汚泥）状態にして土嚢袋に詰めた後、天日干しで水分を蒸発させて減量化して廃棄処分するのが一般的である。しかしながら、クラゲは腐敗し易いため、天日干しを行っている際に腐敗が進み、これにより臭気（腐敗臭等）が発生する。このため、クラゲの載置場所周辺では、作業環境が悪い状態となる。さらに、風の影響によりクラゲ載置場所から離れた位置にまで臭気が到達することがあり、クラゲ載置場所から離れた位置でも作業環境が悪い状態となる。
【０００４】
このため、作業員がクラゲスカムに消臭剤を散布することにより、クラゲスカムからの消臭を図っている。
【先行技術文献】
【特許文献】
【０００５】
【特許文献１】特開２００７−１６０１５４号公報
【発明の概要】
【発明が解決しようとする課題】
【０００６】
前記したように人が消臭剤を散布すると、消臭剤の散布量にむら、ばらつきが生じることがあり、クラゲスカムに対して全体的に均一に消臭剤が散布されないおそれがある。このため、作業員がクラゲスカムに消臭剤を散布する方法では、十分な消臭効果が得られなかった。また、直接クラゲスカムに消臭剤を散布しているため、消臭剤を大量に消費しなければならず、コスト高となる。さらには、作業員が消臭剤を散布する方法では多大な労力を要する上、作業効率が悪くなるという問題があった。
【０００７】
そこで、本発明は、上記問題点に鑑みて、余分な消臭剤を消費することなく低コストにクラゲの臭気を抑えることができ、クラゲ載置場所及びその周囲の環境を改善することができる消臭剤噴霧システム及び消臭剤噴霧方法を提供する。
【課題を解決するための手段】
【０００８】
本発明の消臭剤噴霧システムは、陸揚げされたクラゲを保管している屋外のクラゲ載置場所に消臭剤を噴霧して、クラゲから発生する臭気を抑制する消臭剤噴霧システムであって、前記クラゲ載置場所に前記消臭剤を噴霧する消臭剤噴霧手段と、前記クラゲ載置場所の臭気物質を検知するためのガス検知手段を備え、前記ガス検知手段による臭気物質が所定値以上を検知したときに、前記消臭剤噴霧手段を作動させてクラゲ載置場所に消臭剤を噴霧するように制御する制御手段とを備えたものである。
【０００９】
本発明の消臭剤噴霧システムでは、クラゲ載置場所の臭気物質が所定値以上を検知したときに制御手段の制御によりノズルから消臭剤を噴霧するため、自動的にクラゲの臭気を抑えることができる。このとき、臭気発生源のクラゲではなく、臭気分子に直接消臭剤を噴霧することにより、中和反応で悪臭成分を無臭物質とする。このように、クラゲに消臭剤を噴霧するのではなく、臭気発生源に消臭剤を噴霧するものであるため、余分な消臭剤を消費することがなく、必要最小限の消臭剤を噴霧することができる。クラゲ載置場所におけるクラゲは袋詰めされていても、袋詰めされることなくそのままの状態であってもよく、クラゲを粉砕状態としたものが袋詰めされていても、袋詰めされていないものを含む。
【００１０】
前記クラゲ載置場所の風速及び風向きを検知するための風検知手段を備え、前記ガス検知手段による臭気物質が所定値以上を検知し、かつ前記風検知手段による風速が所定範囲内及び風向きが前記クラゲ載置場所から離れた特定位置側を検知したときに、前記制御手段の制御にて前記消臭剤噴霧手段を作動させてクラゲ載置場所に消臭剤を噴霧するようにできる。すなわち、臭気物質が特定位置にまで到達することを検知した場合に、自動的に消臭剤を噴霧することができる。また、風の影響により消臭剤を飛散させることができるため、広範囲かつクラゲにむらなく均一に消臭剤を噴霧することができる。これにより、余分な消臭剤を消費することがなく、必要最小限の消臭剤を噴霧することができる。
【００１１】
前記消臭剤噴霧手段は、前記クラゲ載置場所に対して上方から消臭剤を噴霧するものとできる。これにより、消臭剤を一層広範囲に噴霧することができる。
【００１２】
前記消臭剤噴霧手段は、消臭剤を貯留するタンクと、このタンクから消臭剤を送出するポンプとを備え、前記タンクからノズルを介して噴霧された消臭剤の濃度を調整する濃度調整手段を備えたものとできる。
【００１３】
前記クラゲ載置場所の周囲から消臭剤を噴霧するものとできる。これにより、クラゲ載置場所に対して四方から消臭剤を噴霧することができるため、クラゲに一層むらなく均一に消臭剤を噴霧することができる。
【００１４】
消臭剤の噴霧開始から所定時間経過後に、消臭剤の噴霧を停止する停止手段を備えることができる。これにより、消臭剤を所定量噴霧した後、自動的に噴霧を停止するため、必要な量だけ消臭剤を噴霧することができ、余分な消臭剤の消費を防止することができる。
【００１５】
本発明の消臭剤噴霧方法は、陸揚げされたクラゲを保管している屋外のクラゲ載置場所に消臭剤を噴霧して、前記クラゲ載置場所から離れた特定位置において、クラゲから発生する臭気を抑制する消臭剤噴霧方法であって、前記クラゲ載置場所の臭気物質が所定値以上を検知し、かつ風速が所定値以上及び風向きが前記特定位置側を検知したときに、前記クラゲ載置場所に対して周囲から前記消臭剤を噴霧するものである。
【００１６】
本発明の消臭剤噴霧方法では、臭気物質が特定位置にまで到達することを検知した場合に、自動的に消臭剤を噴霧することができる。また、余分な消臭剤を消費することがなく、必要最小限の消臭剤を噴霧することができる。
【発明の効果】
【００１７】
本発明の消臭剤噴霧システム及び消臭剤噴霧方法によれば、自動的にクラゲの臭気を抑えることができるため、クラゲ載置場所及びその周囲の環境を改善することができる。しかも、作業者の労力を軽減することができる。また、臭気分子に直接消臭剤を噴霧して、中和反応で悪臭成分を無臭物質とすることにより、速効的で長時間の消臭効果を得ることができる。さらには、余分な消臭剤を消費することがなく、必要最小限の消臭剤を噴霧することができるため、コストの低減を図ることができる。
【００１８】
風検知手段を備えると、臭気物質が特定位置にまで到達することを検知した場合に、自動的に消臭剤を噴霧することができるため、クラゲ載置場所の近辺だけでなく、クラゲ載置場所から離れた周囲にも臭気が到達するのを防止することができる。また、風の影響により消臭剤を飛散させることができるため、消臭効果が向上するとともに、効率よく消臭することができる。
【００１９】
前記クラゲ載置場所に対して上方から消臭剤を噴霧すると、消臭剤をクラゲ載置場所に一層広範囲に噴霧することができるため、消臭効果を高めることができる。
【００２０】
濃度調整手段を備えたものとすると、消臭に必要な消臭剤の量を正確に調整することができて、確実に消臭効果を得ることができる。
【００２１】
クラゲ載置場所の周囲から消臭剤を噴霧すると、クラゲに一層むらなく均一に消臭剤を噴霧することができるため、消臭効果を高めることができる。
【００２２】
停止手段を備えると、必要な量だけ消臭剤を噴霧することができ、余分な消臭剤の消費を防止することができて、一層コスト低減を図ることができるとともに、作業効率を向上することができる。
【図面の簡単な説明】
【００２３】
【図１】本発明の消臭剤噴霧システムを示すブロック図である。
【図２】本発明の消臭剤噴霧システムの消臭剤噴霧手段の一部を示す斜視図である。
【図３】本発明の消臭剤噴霧システムの簡略平面図である。
【図４】本発明の消臭剤噴霧方法を示すフローチャート図である。
【発明を実施するための形態】
【００２４】
以下、本発明を実施するための最良の形態について説明する。
【００２５】
本発明の消臭剤噴霧システムは、例えば火力発電所の周辺海域に発生したクラゲが陸揚げされて、この陸揚げされたクラゲをクラゲ載置場所１０（図３参照）に保管する際、このクラゲ載置場所１０に消臭剤を噴霧してクラゲから発生する臭気を抑制するものである。クラゲ載置場所１０は、火力発電所の構内の地面において任意の位置に設定することができ、本実施形態では、海１００の近傍（例えば、海岸から３０ｍ程度離れた場所）に設定している。本発明の消臭剤噴霧システムは、このクラゲの載置場所１０に設置される。さらに、このクラゲ載置場所１０から離れた場所を特定位置１１とする。特定位置１１は、クラゲ載置場所１０からの方向、距離を任意に設定することができる。消臭剤は、本実施形態ではミョウバンを使用する。
【００２６】
本発明の消臭剤噴霧システムは、図１に示すように、クラゲ載置場所１０に消臭剤を噴霧する消臭剤噴霧手段１と、クラゲ載置場所１０の臭気物質を検知するためのガス検知手段２と、クラゲ載置場所１０の風速及び風向きを検知するための風検知手段３と、消臭剤噴霧手段１を制御するコントローラ４とを備えている。
【００２７】
消臭剤噴霧手段１は、図１及び図２に示すように、支柱５と、この支柱５に支持される給水管６と、この給水管６に設けられた複数のノズル７と、消臭剤を貯留するタンク８と、このタンク８から給水管６に消臭剤を送出するポンプ９と、消臭剤の濃度を調整する濃度調整手段１２と、を備えている。
【００２８】
支柱５は、図２に示すように、クラゲ載置場所１０を取り囲むように立設されており、各支柱５の長さ寸法は２ｍとなっている。給水管６は、この支柱５の上部に取付けられており、図３に示すように、平面視で矩形の４辺となってクラゲ載置場所１０を取り囲むように設けられている。この給水管６はタンク９に連結されており、消臭剤の水路となる。ノズル７は、給水管６の全周にわたって合計８個個設けられており、このノズル７が消臭剤の吐出口となる。この場合、ノズル７はクラゲ載置場所１０よりも上方に位置することになるため、クラゲ載置場所１０に対して上方から消臭剤を噴霧する。また、ノズル７は、クラゲ載置場所１０に対して包囲状となって、クラゲ載置場所１０の全周から消臭剤を噴霧するものとなる。
【００２９】
タンク８は消臭剤を貯留するものであり、噴霧される消臭剤の濃度を調整するための濃度調整手段１２を備えている。濃度調整手段１２は、タンク内の消臭剤を自動で希釈することができ、例えばタンク内の液体濃度を測定する図示省略の濃度センサと、タンクに連結された図示省略の純水タンクと、図示省略の濃度調整用制御手段とを備える。濃度センサによりタンク内の消臭剤の濃度が設定濃度を超える場合に、純水タンクから消臭剤タンクに純水を送出することにより、タンク内の消臭剤を予め設定された濃度に調節することができる。
【００３０】
ガス検知手段２は、図３に示すようにクラゲ載置場所１０の近傍に設置される。本実施形態では、ガス検知手段２は２個設置されており、平面視においてクラゲ載置場所１０と特定位置１１との間に設置されている。ガス検知手段２は、クラゲから発生した臭気の成分のうち、悪臭の原因となるものを検知するものである。クラゲから発生する悪臭成分は、主に硫化水素が含まれているため、本実施形態ではガス検知手段３は硫化水素の濃度を測定できるものとする。ガス検知手段２としての硫化水素測定器は、公知公用のものを使用することができ、例えば、定電位電解式、隔膜イオン電極式、隔膜ガルバニ電池式等の種々のものを採用することができる。
【００３１】
風検知手段３は、図３に示すようにクラゲ載置場所１０の近傍に設置される。本実施形態では、風検知手段４は１個設置されており、平面視においてクラゲ載置場所１０と海１００との間に設置されている。風検知手段４は、クラゲ載置場所１０の風速及び風向きを検知するためのものである。風検知手段４は、公知公用の風速計を用いることができ、例えば、風杯型風速計、風車型風速計、超音波式風速計等の種々のものを採用することができる。
【００３２】
コントローラ４は、例えばマイクロコンピュータにて構成されており、図１に示すように、制御手段１３と停止手段１４とを備えている。
【００３３】
制御手段１３はガス検知手段２及び風検知手段３と電気的に接続されるとともに、ポンプ９にも電気的に接続されている。そして、前記ガス検知手段２による臭気物質（本実施形態では硫化水素）が所定値以上を検知し、かつ風検知手段３による風速が所定範囲内（例えば０．５ｍ／ｓ〜２０ｍ／ｓ）及び風向きが、図３の矢印Ａに示すようにクラゲ載置場所１０から特定位置１１に向かう方向を検知したときに、ポンプ９のスイッチをＯＮにするように指令を出して、消臭剤噴霧手段１を作動させてクラゲ載置場所１０に消臭剤を噴霧するように制御する。
【００３４】
停止手段１４は、消臭剤の噴霧開始から所定時間経過後に、ポンプ９のスイッチをＯＦＦにするように指令を出して、消臭剤の噴霧を自動的に停止するように制御する。
【００３５】
次に、本発明の消臭剤噴霧システムを用いてクラゲの臭気を消臭する方法について図４を参照して説明する。海１００に設置されたクラゲの回収設備にて捕らえられたクラゲを陸揚げする（ステップＳ１）。このクラゲを、クラゲ処理装置にてスカム（汚泥）状態とし、このクラゲスカムを土嚢袋２０に詰める（ステップＳ２）。この土嚢袋２０をクラゲ載置場所１０に移動させて放置する（ステップＳ３）と、クラゲスカムは天日干しされて水分を蒸発させることができる。
【００３６】
天日干しを行っている際、クラゲスカムの腐敗が進み、これにより臭気が発生する。クラゲから発生した臭気の成分のうち、本実施形態では硫化水素を悪臭成分として説明し、消臭剤をミョウバンとする。作業者は、周囲に悪影響を及ぼす程度の硫化水素濃度を予め制御手段１３に設定する（ステップＳ４）。また、臭気が特定位置１１にまで到達する程度の風速及び風向きを予め制御手段１３に設定する（ステップＳ５）。例えば、風速は０．５ｍ／ｓ〜２０ｍ／ｓとし、風向きは、図３の矢印Ａに示すようにクラゲ載置場所１０から特定位置１１に向かう方向とする。
【００３７】
ガス検知手段２により検知された硫化水素濃度を前記設置値と比較して（ステップＳ６）、設定値よりも小さければ、クラゲ載置場所１０において、周囲に悪影響を及ぼす程度の硫化水素が発生していないことになる。また、周囲に悪影響を及ぼす程度の硫化水素が発生していても、風検知手段３により検知された風速及び風向きを前記設定と比較して（ステップＳ７）、風速が小さかったり、風向きが図３の矢印Ｂや矢印Ｃの方向であったりする場合、臭気が発生していても特定位置１１にまで臭気は到達しない。
【００３８】
すなわち、ステップＳ６で前記ガス検知手段（硫化水素検知手段）２が所定値以上を検知し、かつステップＳ７で風検知手段３が風速を前記範囲内及び風向きが矢印Ａの方向を検知したとき、悪影響を及ぼす程度の臭気が特定位置１１にまで到達することになる。従って、このときに、制御手段１６の制御にてポンプ９のスイッチをＯＮにするように指令を出して、消臭剤噴霧手段１を作動させてクラゲ載置場所１０に消臭剤を噴霧する（ステップＳ８）。すなわち、タンク８に貯留され、予め濃度が調整された消臭剤は、給水管６へ送られて、ノズル７によってクラゲスカムよりも上方かつ四方から噴霧される。このとき、臭気発生源のクラゲではなく、臭気分子に直接消臭剤を噴霧することにより、中和反応で悪臭成分である硫化水素を無臭物質とする。これにより、自動的にクラゲの臭気を抑えることができ、特定位置１１に臭気を到達しないようにする。
【００３９】
消臭剤の噴霧開始から所定時間経過すると、停止手段１４はポンプ９のスイッチをＯＦＦにするように指令を出して、消臭剤の噴霧を自動的に停止するように制御する（ステップＳ９）。
【００４０】
本発明では、クラゲ載置場所１０の臭気物質が所定値以上を検知したときに制御手段１３の制御によりノズル７から消臭剤を噴霧するため、自動的にクラゲの臭気を抑えることができるため、クラゲ載置場所１０及びその周囲の環境を改善することができる。しかも、作業者の労力を軽減することができる。また、臭気分子に直接消臭剤を噴霧して、中和反応で悪臭成分を無臭物質とすることにより、速効的で長時間の消臭効果を得ることができる。さらには、余分な消臭剤を消費することがなく、必要最小限の消臭剤を噴霧することができるため、コストの低減を図ることができる。
【００４１】
風検知手段３を備えているので、臭気物質が特定位置１１にまで到達することを検知した場合に、自動的に消臭剤を噴霧することができるため、クラゲ載置場所１０の近辺だけでなく、クラゲ載置場所１０から離れた周囲にも臭気が到達するのを防止することができる。また、風の影響により消臭剤を飛散させることができるため、広範囲かつクラゲにむらなく均一に消臭剤を噴霧することができて、消臭効果が向上するとともに、効率よく消臭することができる。
【００４２】
消臭剤噴霧手段１は、クラゲ載置場所１０に対して上方から消臭剤を噴霧するものであるため、消臭剤を一層広範囲に噴霧することができ、消臭効果を高めることができる。
【００４３】
濃度調整手段１２を備えているので、消臭に必要な消臭剤の量を正確に調整することができて、確実に消臭効果を得ることができる。
【００４４】
クラゲ載置場所１０の周囲から消臭剤を噴霧するため、クラゲ載置場所１０に対して四方から消臭剤を噴霧することができるため、クラゲに一層むらなく均一に消臭剤を噴霧することができて、消臭効果を高めることができる。
【００４５】
停止手段１４を備えているので、必要な量だけ消臭剤を噴霧することができ、余分な消臭剤の消費を防止することができて、一層コスト低減を図ることができるとともに、作業効率を向上することができる。
【００４６】
以上、本発明の実施形態につき説明したが、本発明は前記実施形態に限定されることなく種々の変形が可能であって、例えば、クラゲ載置場所１０は海岸近傍ではなく、任意の位置に設けることができ、その広さも種々のものとできる。支柱５の高さや本数は、クラゲ載置場所１０の広さ等に応じて任意の高さ、本数とすることができる。ノズル７の数は任意に設定することができる。ノズル７や給水管６は、クラゲ載置場所１０を包囲状とするものでなくてもよく、コの字状であったり、直線状に配置されたりしていてもよい。また、噴霧は上方からでなくても、クラゲスカムと上下位置が同等の場所として、横から噴霧するものであってもよい。
【００４７】
ガス検知手段２や風検知手段３の場所は、クラゲ載置場所１０の近傍であればその場所は任意に設定でき、個数も任意とすることができる。消臭剤の設定濃度、噴霧量は気温等の周囲の環境に応じて設定することができる。消臭剤の種類は、クラゲから発生する臭気成分のうち、中和すべき成分に対応したものを種々選択することができる。また、制御手段１３に予め設定するガス濃度、風速、風向きはクラゲ載置場所１０に対する特定位置１１の距離、向きに応じて種々設定することができる。
【実施例】
【００４８】
本発明に係る消臭剤噴霧システムの有効性を検証するための実験について述べる。本実験は、図１〜図３に示す消臭剤噴霧システムを用いて、クラゲスカムの土嚢袋２０個をクラゲ載置場所に載置して、消臭剤噴霧前と噴霧後の臭気強度を測定した。消臭剤は、新エポリオン社製のエポリオンＡＬ−１２０を使用した。測定方法は、１０名の作業員が消臭剤の噴霧前に３０秒ピッチで臭気強度を６段階に評価した。１回の測定時間は５分とし、これを３回行った。また、これと同様にして、１０名の作業員が、消臭剤の噴霧中に３０秒ピッチで臭気強度を６段階に評価した。１回の測定時間は５分とし、これを３回行った。６段階評価は、０が「無臭」、１が「やっと感知できる臭い」、２が「何の臭いであるかわかる弱い臭い」、３が「楽に感知できる臭い」、４が「強い臭い」、５が「強烈な臭い」を示す。表１に、１０名の作業員の評価した臭気強度の平均を示す。また、表２に、強い臭気（臭気強度２．５以上）が得られた回数を示す。
【表１】
2012081413.tif 000003
【表２】
2012081413.tif 000004
【００４９】
以下、実験結果について述べる。表１より、消臭剤噴霧前の臭気強度の平均が１．２（やっと感知できる臭い）であるのに対し、消臭剤噴霧中の臭気強度の平均が０．４と低減しており、無臭に近づいている。また、表２より、強い臭気（臭気強度２．５以上）が得られた回数は、消臭剤噴霧前で５２回、消臭剤噴霧中で０回となっている。これにより、本発明に係る消臭剤噴霧システムを使用すると、高い消臭効果が得られることがわかった。
【符号の説明】
【００５０】
１    消臭剤噴霧手段
２    ガス検知手段
３    風検知手段
７    ノズル
８    タンク
９    ポンプ
１０  クラゲ載置場所
１１  特定位置
１２  濃度調整手段
１３  制御手段
１４  停止手段
【図１】
2012081413.tif 000005
【図２】
2012081413.tif 000006
【図３】
2012081413.tif 000007
【図４】
2012081413.tif 000008